(57)【特許請求の範囲】
【請求項１】
構造体の分散型ネットワークであって、
前記分散型ネットワークは：
前記構造体の周りに分散された複数の無線トランシーバ；
前記構造体の周りに分散された複数のセンサ；
前記複数の無線トランシーバ及び前記複数のセンサに電子的に接続されたコントローラを備え、
前記複数の無線トランシーバは、低電力の第１のネットワークを介して、下り通信でモバイルデバイスに時間ベースのトークンを伝送するよう動作し、ここで前記低電力の第１のネットワークは、前記複数の無線トランシーバを含み、前記時間ベースのトークンは、少なくとも１つのタイムスタンプを含み、前記タイムスタンプの各々は、生成時間後のある期間にわたり有効であり、前記時間ベースのトークンの少なくともいくつかは、前記低電力の第１のネットワークを介して前記モバイルデバイスで受信され、前記モバイルデバイスは、修正済みの時間ベースのトークンを生成し、前記修正済みの時間ベースのトークンは、受信した前記時間ベースのトークンの各々に付加された前記モバイルデバイスの識別情報を含み、前記モバイルデバイスは、前記修正済みの時間ベースのトークンを第２のネットワークを介して上り通信で前記コントローラに伝送し、
前記コントローラは：
前記第２のネットワークを介して、前記モバイルデバイスから、修正済みの時間ベースのトークンの少なくともいくつかを受信し；
少なくとも前記識別情報及び前記時間ベースのトークンの前記タイムスタンプに基づいて位置ベースのインテリジェンスを実施する
よう動作する、
構造体の分散型ネットワーク。
【請求項２】
照明器具を更に備え、
前記照明器具は：
センサユニット及び調光コントローラを備え、
前記センサユニットは：
前記複数のセンサのうちの少なくとも１つであって、感知した運動又は光のうちの少なくとも１つに基づいて感知信号を生成するよう動作する、前記複数のセンサのうちの少なくとも１つ；
センサユニットコントローラであって、前記センサユニットコントローラは、前記感知信号及びネットワークからの通信のうちの少なくとも１つに基づいて、調光制御を生成するよう動作する、センサユニットコントローラ；
前記複数の無線トランシーバのうちの少なくとも１つであって、前記センサユニットと１つ又は複数の計算デバイスとの間の無線通信リンクを確立するよう、及び前記ネットワークへのネットワーク接続を提供するよう動作する、前記複数の無線トランシーバのうちの少なくとも１つ
を備え、
前記調光コントローラは、前記調光制御を受け、前記調光制御に基づいてライトに対する調光制御ラインを調整するよう動作する、請求項１に記載の分散型ネットワーク。
【請求項３】
前記コントローラは、前記識別情報及び前記時間ベースのトークンに基づいて位置ベースのインテリジェンスを実施するよう動作し、前記コントローラは：
前記時間ベースのトークンの伝送時間に基づいて前記モバイルデバイスの位置を識別し；
識別した前記位置及びドアの既知の位置に基づいて、前記モバイルデバイスが前記構造体の前記ドアに近接したことを決定し；
前記モバイルデバイスが前記ドアに近接したことを決定した後に、前記ドアを開放するコマンドを送信する
よう動作する、請求項１に記載の分散型ネットワーク。
【請求項４】
前記コントローラは、前記識別情報及び前記時間ベースのトークンに基づいて位置ベースのインテリジェンスを実施するよう動作し、前記コントローラは：
前記時間ベースのトークンの伝送時間に基づいて前記モバイルデバイスの位置を識別し；
識別した前記位置、及び前記構造体に関する既知の位置に基づいて、前記モバイルデバイスのユーザの、前記構造体に関するアクセスを管理する
よう動作する、請求項１に記載の分散型ネットワーク。
【請求項５】
前記コントローラは、前記識別情報及び前記時間ベースのトークンに基づいて位置ベースのインテリジェンスを実施するよう動作し、前記コントローラは：
前記時間ベースのトークンの伝送時間に基づいて前記モバイルデバイスの位置を識別し；
識別した前記位置、及び前記構造体に関する既知の位置に基づいて、前記モバイルデバイスのユーザのアクセス及び活動を追跡する
よう動作する、請求項１に記載の分散型ネットワーク。
【請求項６】
前記コントローラは更に：
前記時間ベースのトークンの伝送時間に基づいて前記モバイルデバイスの位置を識別し；
前記モバイルデバイスの前記位置に少なくとも部分的に基づいて、インターネット接続されたデバイスに対する前記モバイルデバイスのアクセスを提供する
よう動作する、請求項１に記載の分散型ネットワーク。
【請求項７】
前記コントローラは更に：
前記時間ベースのトークンの伝送時間に基づいて前記モバイルデバイスの位置を識別し；
前記モバイルデバイスの識別した前記位置に基づいて、前記構造体の状態及び前記構造体のリソースに対するアクセスを、前記モバイルデバイスに提供する
よう動作する、請求項１に記載の分散型ネットワーク。
【請求項８】
構造体の分散型ネットワークであって、
前記分散型ネットワークは：
前記構造体の周りに分散された複数の無線トランシーバ；
前記構造体の周りに分散された複数のセンサ；
前記複数の無線トランシーバ及び前記複数のセンサに電子的に接続されたコントローラを備え、
前記複数の無線トランシーバは、低電力の第１のネットワークを介して、時間ベースのトークンを伝送するよう動作し、ここで前記低電力の第１のネットワークは、前記複数の無線トランシーバを含み、
前記コントローラは：
第２のネットワークを介して、モバイルデバイスから、修正済みの時間ベースのトークンを受信するよう動作し、ここで前記修正済みの時間ベースのトークンは、前記時間ベースのトークンに付加された前記モバイルデバイスの識別情報を含み；
前記識別情報及び前記時間ベースのトークンに基づいて位置ベースのインテリジェンスを実施する
よう動作し、
前記分散型ネットワークは、前記構造体の周りに分散された複数のアセットタグを更に備え、
前記コントローラは更に：
第２のネットワークを介して前記複数のアセットタグのうちの少なくとも１つを受信し、ここで前記修正済みの時間ベースのトークンは、前記時間ベースのトークンに付加された前記少なくとも１つのアセットタグの識別情報を含み；
前記時間ベースのトークンの伝送時間に基づいて、前記少なくとも１つのアセットタグの位置を識別し；
識別された前記位置、及び前記構造体に関する既知の認証された及び認証されていない位置に基づいて、前記アセットタグが識別された前記位置にあるものとして認証されることを決定し；並びに
前記アセットタグが識別された前記位置にあるものとして認証されることの決定に基づいて、いずれの所要の操作を実施する
よう動作する、分散型ネットワーク。
【請求項９】
前記コントローラは更に、前記構造体の全体にわたって前記少なくとも１つのアセットタグを追跡し、前記追跡に基づいて所要の操作を実施するよう動作する、請求項８に記載の分散型ネットワーク。
【請求項１０】
前記コントローラは更に：
前記モバイルデバイスの位置に基づいて前記モバイルデバイスにとって利用可能なリソースをダウンロードし；
前記リソースの制御を容易にする
よう動作する、請求項１に記載の分散型ネットワーク。
【請求項１１】
前記コントローラは更に：
前記時間ベースのトークンの伝送時間に基づいて複数のモバイルデバイスの位置を識別し；
前記モバイルデバイスに、前記複数のモバイルデバイスの位置をダウンロードする
よう動作する、請求項１に記載の分散型ネットワーク。
【請求項１２】
前記コントローラは更に、前記モバイルデバイスの前記位置及び前記複数のモバイルデバイスのそれぞれの位置に少なくとも部分的に基づいて、前記モバイルデバイスと前記複数のモバイルデバイスとの間のメッセージングサービスを可能とするよう動作する、請求項１１に記載の分散型ネットワーク。
【請求項１３】
前記コントローラは更に、前記複数のモバイルデバイスのそれぞれの位置に基づいて、前記複数のモバイルデバイスのうちの１つ又は複数が危険に近づいているかどうかを識別し、前記複数の無線トランシーバを通して、危険の状態及び行うべき操作に関するアドバイスを伝送するよう動作する、請求項１に記載の分散型ネットワーク。
【請求項１４】
前記センサのうちの少なくとも１つは音響センサを含み、
前記コントローラは更に：
前記音響センサによって感知された音を受信し；
前記感知された音における１つ又は複数の異常を識別し、及び
前記１つ又は複数の異常を感知したことに基づいて所定の操作を実行する
よう動作する、請求項１に記載の分散型ネットワーク。
【請求項１５】
前記コントローラは更に、前記感知された音を記録するよう動作する、請求項１４に記載の分散型ネットワーク。
【請求項１６】
前記コントローラは更に、記録した前記感知された音を複数の所定の音の特徴のうちの少なくとも１つと照合することを含む、異常の識別を行うよう動作する、請求項１４に記載の分散型ネットワーク。
【請求項１７】
前記センサのうちの少なくとも１つは音響センサを含み、
前記コントローラは更に：
前記音響センサによって感知された音を受信し；
感知された前記音を複数の所定の音のうちの少なくとも１つと照合し；
前記音の前記複数の所定の音のうちの少なくとも１つとの照合に基づいて、所定の操作を実行する
よう動作する、請求項１に記載の分散型ネットワーク。
【請求項１８】
前記センサのうちの少なくとも１つは音響センサを含み、
前記コントローラは更に：
前記音響センサによって感知された音声コマンドを受信し；
前記音声コマンドを識別し；
識別した前記音声コマンドに基づいて前記分散型ネットワークの操作を実施するよう動作する、請求項１に記載の分散型ネットワーク。
【請求項１９】
構造体の分散型ネットワークであって、
前記分散型ネットワークは：
前記構造体の周りに分散された複数の無線トランシーバ；
前記構造体の周りに分散された複数のセンサ；
前記複数の無線トランシーバの少なくともサブセット及び前記複数のセンサに電子的に接続された前記複数の無線トランシーバの少なくとも１つのコントローラ
を備え、
前記複数の無線トランシーバは、低電力の第１のネットワークを介して、下り通信でモバイルデバイスに時間ベースのトークンを伝送するよう動作し、ここで前記低電力の第１のネットワークは、前記複数の無線トランシーバを含み、前記時間ベースのトークンは、少なくとも１つのタイムスタンプを含み、前記タイムスタンプの各々は、生成時間後のある期間にわたり有効であり、前記時間ベースのトークンの少なくともいくつかは、前記低電力の第１のネットワークを介して前記モバイルデバイスで受信され、前記モバイルデバイスは、修正済みの時間ベースのトークンを生成し、前記修正済みの時間ベースのトークンは、受信した前記時間ベースのトークンの各々に付加された前記モバイルデバイスの識別情報を含み、前記モバイルデバイスは、前記修正済みの時間ベースのトークンを第２のネットワークを介して上り通信で前記コントローラに伝送し、
前記少なくとも１つのコントローラは：
前記第２のネットワークを介して、前記モバイルデバイスから修正済みの時間ベースのトークンの少なくともいくつかを受信し、又
少なくとも前記識別情報及び前記時間ベースのトークンの前記タイムスタンプに基づいて位置ベースのインテリジェンスを実施する
よう動作する、
構造体の分散型ネットワーク。
【請求項２０】
構造体の分散型ネットワークであって、
前記分散型ネットワークは：
前記構造体の周りに分散された複数の無線トランシーバ；
前記構造体の周りに分散された複数のセンサ；
前記複数の無線トランシーバの少なくともサブセット及び前記複数のセンサに電子的に接続された前記複数の無線トランシーバの少なくとも１つのコントローラ
を備え、
前記複数の無線トランシーバは、低電力の第１のネットワークを介して、時間ベースのトークンを伝送するよう動作し、ここで前記低電力の第１のネットワークは、前記複数の無線トランシーバを含み、
前記少なくとも１つのコントローラは：
第２のネットワークを介して、モバイルデバイスから修正済みの時間ベースのトークンを受信するよう動作し、ここで前記修正済みの時間ベースのトークンは、前記時間ベースのトークンに付加された前記モバイルデバイスの識別情報を含み、
前記識別情報及び前記時間ベースのトークンに基づいて位置ベースのインテリジェンスを実施する
よう動作し、
前記分散型ネットワークは、前記構造体の周りに分散された複数のアセットタグを更に備え、
前記複数の無線トランシーバの前記少なくとも１つのコントローラは、前記構造体の周りに分散された前記複数のアセットタグに電子的に接続され、
前記少なくとも１つのコントローラは更に：
第２のネットワークを介して、前記複数のアセットタグのうちの少なくとも１つから修正済みの時間ベースのトークンを受信し、ここで前記修正済みの時間ベースのトークンは、前記時間ベースのトークンに付加された前記少なくとも１つのアセットタグの識別情報を含み；
前記識別情報及び前記時間ベースのトークンに基づいて、位置ベースのインテリジェンスを実施する
よう動作する、分散型ネットワーク。
【請求項２１】
前記複数の無線トランシーバのうちの少なくとも１つ及び前記複数のセンサのうちの少なくとも１つは、照明器具内に含まれ、
前記照明器具は、
センサユニット及び調光コントローラであって、前記センサユニットは、前記複数のセンサのうちの少なくとも１つを備え、前記複数のセンサのうちの前記少なくとも１つは、感知した運動又は光のうちの少なくとも１つに基づいて感知信号を生成するよう動作する、センサユニット及び調光コントローラ；
センサユニットコントローラであって、前記コントローラは、前記感知信号及びネットワークからの通信のうちの少なくとも１つに基づいて、調光制御を生成するよう動作する、センサユニットコントローラ；
前記複数の無線トランシーバのうちの少なくとも１つであって、前記センサユニットと１つ又は複数の計算デバイスとの間の無線通信リンクを確立するよう、及び前記ネットワークへのネットワーク接続を提供するよう動作する、前記複数の無線トランシーバのうちの少なくとも１つ
を備え、
前記調光コントローラは、前記調光制御を受け、前記調光制御に基づいてライトに対する調光制御ラインを調整するよう動作する、請求項１９に記載の分散型ネットワーク。
【請求項２２】
前記複数の無線トランシーバのうちの前記少なくとも１つは、前記照明器具の電源から動作電力を受け取る、請求項２１に記載の分散型ネットワーク。
【発明の詳細な説明】
【関連出願】
【０００１】
本特許出願は、２０１０年８月３日出願の米国特許出願第１２／８４９，０８１号の継続特許出願であり、米国特許第８，５０８，１４９号として特許を付与された、２０１３年６月２８日出願の米国特許出願第１３／９３０，００９号の一部継続出願（ＣＩＰ）である。上記特許の全体は、参照により本明細書に援用される。
【技術分野】
【０００２】
記載される実施形態は一般に、構造体内の電子装置に関する。より詳細には、記載される実施形態は、位置ベースの人間との対話及びインテリジェンスを提供する構造体の分散型ネットワークに関する。
【背景技術】
【０００３】
構造体の照明制御を用いて、特定の状況下で照明を自動的に制御することにより、電力を節約できる。しかしながら、照明制御、具体的には高度な照明制御は、一般商業市場において広く採用されていない。というのは、設置、セットアップに関連するコスト及び複雑さにより、これらの照明システムが、大半の企業顧客にとって法外に高価なものなるためである。更に、これらのシステムがインテリジェンスを含む場合、これらは集中制御される。
【０００４】
更に、構造体のリソース、制御及びセキュリティの管理は、インテリジェントでない、又はロケーションアウェアでない。
【発明の概要】
【発明が解決しようとする課題】
【０００５】
インテリジェントな位置ベースの人間との対話及びインテリジェンスを提供するための分散型ネットワークのための、照明方法、システム及び装置を有することが望ましい。
【課題を解決するための手段】
【０００６】
一実施形態は、構造体の分散型ネットワークを含む。上記分散型ネットワークは、上記構造体の周りに分散された複数の無線トランシーバ、上記構造体の周りに分散された複数のセンサ、並びに上記複数の無線トランシーバ及び上記複数のセンサに電子的に接続されたコントローラを含む。上記複数の無線トランシーバは、低電力の第１のネットワークを介して、時間ベースの（可変）トークンを伝送するよう動作し、ここで上記低電力の第１のネットワークは、上記複数の無線トランシーバを含む。コントローラは、第２のネットワークを介して、モバイルデバイスから、修正済みの時間ベースのトークンを受信するよう動作し、ここで上記修正済みの時間ベースのトークンは、上記時間ベースのトークンに付加された上記モバイルデバイスの識別情報を含み、また上記コントローラは、上記識別情報及び上記時間ベースのトークンに基づいて位置ベースのインテリジェンスを実施するよう動作する。
【０００７】
別の実施形態は、構造体の分散型ネットワークを含む。上記分散型ネットワークは、上記構造体の周りに分散された複数の無線トランシーバ、上記構造体の周りに分散された複数のセンサ、並びに上記複数の無線トランシーバの少なくともサブセット及び上記複数のセンサに電子的に接続された上記複数の無線トランシーバの少なくとも１つのコントローラを含む。上記複数のトランシーバは、低電力の第１のネットワークを介して、時間ベースのトークンを伝送するよう動作し、ここで上記低電力の第１のネットワークは、上記複数の無線トランシーバを含む。上記少なくとも１つのコントローラは、第２のネットワークを介して、モバイルデバイスから修正済みの時間ベースのトークンを受信するよう動作し、ここで上記修正済みの時間ベースのトークンは、上記時間ベースのトークンに付加された上記モバイルデバイスの識別情報又は少なくとも１つのアセットタグを含み、また上記コントローラは、上記識別情報及び上記時間ベースのトークンに基づいて位置ベースのインテリジェンスを実施するよう動作する。
【０００８】
記載される実施形態の他の態様及び利点は、記載される実施形態の原理を例として示す添付の図面と併せて、以下の詳細な説明から明らかになるであろう。
【図面の簡単な説明】
【０００９】
【図１】図１は、ある実施形態による、構造体の分散型ネットワークを示す。
【図２】図２は、別の実施形態による、構造体の分散型ネットワークを示す。
【図３】図３は、ある実施形態による、構造体の分散型ネットワークを制御する方法のステップを含むフローチャートである。
【図４】図４は、ある実施形態による、構造体の分散型ネットワークを制御する方法のステップを含むフローチャートであり、上記方法は、上記構造体内のモバイルデバイスのユーザのアクセス及び活動を追跡することを含む。
【図５】図５は、ある実施形態による、構造体の分散型ネットワークを制御する方法のステップを含むフローチャートであり、上記方法は、上記構造体内のアセットタグを追跡することを含む。
【図６】図６は、ある実施形態による、構造体の分散型ネットワークを制御する方法のステップを含むフローチャートであり、上記方法は、モバイルデバイスによる上記構造体のリソースに対するアクセス及び制御を容易にする。
【図７】図７は、ある実施形態による、構造体の分散型ネットワークを制御する方法のステップを含むフローチャートであり、上記方法は、モバイルデバイスによる上記構造体のリソースに対するアクセス及び制御を容易にする。
【図８】図８は、構造体の異常を検出し、検出された上記異常に応答する方法のステップを含む、フローチャートである。
【図９】図９は、ある実施形態による、構造体のリソースの音声制御の方法のステップを含む、フローチャートである。
【図１０】図１０は、ある実施形態による、インテリジェンスを含み、記載される実施形態と共に動作できる、ＬＥＤ器具の例を示す。
【図１１】図１１は、別の実施形態による、インテリジェンスを含むＬＥＤ器具の別の例を示す。
【図１２】図１２は、本発明のある実施形態による、センサ及びトランシーバを含む照明器具を示す。
【図１３】図１３は、ある実施形態による、ＬＥＤ器具の動作方法の例のステップを含む、フローチャートである。
【発明を実施するための形態】
【００１０】
記載される実施形態は、位置ベースの人間との対話及びインテリジェントな使用を提供する、構造体の分散型ネットワークのための装置及び方法において具現化され、これは、上記構造体の、位置ベースの人間との対話及びインテリジェントな使用を提供する。
【００１１】
図１は、ある実施形態による、構造体１００の分散型ネットワークを示す。図示したように、構造体１００は、構造体１００の至るところに分散された無線トランシーバ１０１〜１１０を含む。図１の構造体１００は建物を示すが、上記構造体はこのようなものに限定されないことを理解されたい。例えば、構造体１００としては、駐車場、スタジアム、保管施設等を挙げることができる。
【００１２】
更に、図示したように、少なくともいくつかの実施形態に関して、上記構造体は更に、センサデバイス１１１、１１２を含む。センサ１１１、１１２は、構造体１００内の状況を感知するよう動作する。ある実施形態に関して、センサ１１１、１１２は、上記構造体内の運動、光、音、温度、湿度及び／又は振動のうちの少なくとも１つを感知するよう動作する。記載されるセンサのタイプは例示であること、及びいずれの他のタイプのセンサを付加的又は代替的に利用できることを理解されたい。図１は２つのセンサ１１１、１１２のみを示しているが、上記構造体はいずれの個数及びいずれのタイプのセンサを含むことができることを理解されたい。
【００１３】
少なくともいくつかの実施形態に関して、構造体１００は、被制御デバイス１２１、１２２を含む。ある実施形態に関して、被制御デバイス１２１、１２２は、プリンタ、コーヒーメーカ、冷蔵庫、コピー機、ファックス装置等といった電気製品（アセットタグとも呼ぶ）を含む。被制御デバイス１２１、１２２は制御でき、被制御デバイス１２１、１２２のステータス情報を確認できる。図１は２つの被制御デバイス１２１、１２２のみを示しているが、上記構造体はいずれの個数及びいずれのタイプの被制御デバイスを含むことができることを理解されたい。
【００１４】
少なくともいくつかの実施形態に関して、センサ１１１、１１２及び／又は被制御デバイス１２１、１２２は、無線トランシーバ１０１〜１１０のうちの１つ又は複数に電子的に連結される。少なくともいくつかの実施形態に関して、センサ１１１、１１２及び／又は被制御デバイス１２１、１２２は、無線トランシーバ１０１〜１１０のうちの１つ又は複数に無線で連結され、これにより、センサ１１１、１１２及び／又は被制御デバイス１２１、１２２に制御情報を送ること、並びにセンサ１１１、１１２及び／又は被制御デバイス１２１、１２２からセンサ又はデバイス情報を取得することが可能となる。
【００１５】
更に、少なくともいくつかの実施形態に関して、図示及び説明されるように、照明器具は、上記センサのうちの少なくとも１つ（センサ１１１等）、及び上記トランシーバのうちの少なくとも１つ（トランシーバ１０２等）を含む。更に、少なくともいくつかの実施形態に関して、上記照明器具は、コントローラ１３０の少なくとも一部分を含む。
【００１６】
ある実施形態に関して、トランシーバ１０１〜１１０は、コントローラ１３０に電子的に接続される。コントローラ１３０は、無線トランシーバ１０１〜１１０、センサ１１１、１１２及び／又は被制御デバイス１２１、１２２のうちのいずれから情報を受信するよう動作可能である。更に、コントローラ１３０は、受信した情報を記憶するよう動作する。更に、コントローラ１３０は、受信した情報及び記憶した情報に基づいて、位置ベースの人間との対話及びインテリジェンスを提供するよう動作する。
【００１７】
コントローラ１３０は単一のスタンドアロン型コントローラとして示されているが、当該分散型ネットワークの制御は、多数の分散型制御を含むことができることを理解されたい。ある実施形態に関して、上記ネットワーク制御は、少なくとも上記無線トランシーバ１０１〜１１０（これらは照明器具内に含まれ得る）の間に分散される。分散型ネットワークは、当該ネットワークの一部分の故障に対してより良好な回復機能を有する。少なくともいくつかの実施形態に関して、無線トランシーバ１０１〜１１０とコントローラ１３０との間の通信リンクは、１つ又は複数の無線通信リンクを含む。
【００１８】
少なくともいくつかの実施形態に関して、無線トランシーバ１０１〜１１０は、低電力トランシーバである。即ち、無線トランシーバ１０１〜１１０の伝送信号は低電力であり、従って限定された範囲を有する。少なくともいくつかの実施形態に関して、伝送電力は閾値未満に制限されるため、伝送信号を受信する全てのデバイスが、伝送用トランシーバの閾値距離内にあることが保証される。従って、構造体内のユーザのモバイルデバイス１４０は、通信リンクを維持するのに十分に近接した無線トランシーバ１０１〜１１０のうちの１つ又は複数としか通信できない。モバイルデバイス１４０が通信するトランシーバに対するモバイルデバイス１４０の近接度により、モバイルデバイス１４０の位置を推定できる。更に、構造体１００のセンサ１１１、１１２は、構造体１００内のモバイルデバイスのユーザの占有度及び運動を決定するよう動作する。
【００１９】
少なくともいくつかの実施形態に関して、センサ１１１、１１２及び／又は無線トランシーバ１０１〜１１０のうちのいずれの１つに関連付けられたセンサは、構造体１００内の運動及び／又は占有度を感知する。更に、センサ１１１、１１２及び／又は無線トランシーバ１０１〜１１０のうちのいずれの１つに関連付けられたセンサは、構造体１００内の運動及び／又は占有度を感知するために利用される。
【００２０】
ある実施形態に関して、モバイルデバイス１４０は、無線トランシーバ１０１〜１１０を介してコントローラ１３０に連結するよう、動作する。ある実施形態に関して、コントローラ１３０から上記モバイルデバイスへの下り通信は、低電力の又は第１のネットワーク（Ｂｌｕｅｔｏｏｔｈ、Ｚｉｇｂｅｅ又はＩＥＥＥ  ８０２．１５．４等であるがこれらに限定されない）を介したものである。ある実施形態に関して、モバイルデバイス１４０からコントローラ１３０への上り通信は、無線トランシーバ１０１〜１１０を含む第２のネットワーク（ＷｉＦｉネットワーク等）を介したものである。即ちある実施形態に関して、無線トランシーバ１０１〜１１０は、コントローラ１３０とモバイルデバイス１４０との間の下り及び上り通信をサポートする第１のネットワーク及び第２のネットワークの両方を含む。別の実施形態に関して、モバイルデバイス１４０からコントローラ１３０への上り通信は、外部ネットワーク（セルラーネットワーク等）を介したものである。
【００２１】
ある実施形態に関して、無線トランシーバ１０１〜１１０は、照明制御及びセンサを更に含む照明器具に関連付けられる。
【００２２】
少なくともいくつかの実施形態に関して、記載されるインフラストラクチャを用いて、構造体の占有者を感知及び識別する。少なくともいくつかの実施形態に関して、記載されるインフラストラクチャを用いて、構造体内の占有者の位置を特定する。少なくともいくつかの実施形態に関して、記載されるインフラストラクチャを用いて、他の占有者及びリソース割当システムに、識別／位置のリアルタイムのアップデートを提供する。
【００２３】
少なくともいくつかの実施形態に関して、記載されるインフラストラクチャを用いて、構造体のリソースのリアルタイムの利用可能性を提供する。少なくともいくつかの実施形態に関して、記載されるインフラストラクチャを用いて、リソースの位置／利用可能性を提供する。少なくともいくつかの実施形態に関して、記載されるインフラストラクチャは、占有者及びリソース割当システムに、リソース位置／利用可能性のリアルタイムのアップデートを提供する。少なくともいくつかの実施形態に関して、記載されるインフラストラクチャは、モバイルデバイスのユーザに、構造体１００内のデバイス及びリソース（モノのインターネット）に対するアクセス及び制御を提供する。
【００２４】
図２は、別の実施形態による、構造体１００の分散型ネットワークを示す。この実施形態に関して、コントローラ１３０は、トランシーバ１０２等のトランシーバのうちの少なくとも１つの中に含まれる（トランシーバ１０２は、センサのうちの少なくとも１つと共に照明器具内にも含まれ得る）。図２では単一のトランシーバ内に含まれるものとして示されているが、コントローラ１３０の処理は、複数のトランシーバ、及び更には上記構造体のトランシーバの外部の１つ又は複数のコントローラの間に分散できる。コントローラ１３０の処理は、１つ又は複数のセンサ内、ゲートウェイ、別個のデバイス及び／又は中央サーバ／クラウド中に配置できる。更にコントローラ１３０は、例えば制御コマンドを更に実行する建物管理システムコントローラを含む、複数のコントローラを含むことができる。
【００２５】
図３は、ある実施形態による、セキュリティアクセス及び追跡のステップを含む、フローチャートである。第１のステップ３１０は、トランシーバ（トランシーバ１０１等）が、第１の（低電力）ネットワークを介して時間ベースのビーコンを伝送することを含む。上記時間ベースのビーコンは、タイムスタンプ、デバイス識別情報、生成時間後のある期間にわたり有効なトークンを含む。第２のステップ３２０は、上記時間ベースのビーコンを受信するモバイルデバイス（モバイルデバイス１４０等）を含む。上述の通り、ある実施形態に関して、所定の近接した範囲内のデバイスのみが伝送信号を受信できるように、上記トランシーバの伝送信号電力は所定のレベルに制限される。ある実施形態に関して、上記伝送信号は、上記時間ベースのビーコンを含む。ある実施形態に関して、上記時間ベースのビーコンはドア‐トークンを含み、上記モバイルデバイスは上記ドア‐トークンを利用して、例えば構造体１００のドアを開放できる。ここでもまた、上記ドア‐トークンは、例えばＢｌｕｅｔｏｏｔｈ無線ネットワーク又はＷｉＦｉである、低電力の（第１の）ネットワークを介して伝送される。
【００２６】
第３のステップ３３０は、上記モバイルデバイスが、受信した上記時間ベースのトークン情報に、上記モバイルデバイス、トークンの受信時間、付加されるトークンに関する新しい有効期間に関連する情報と共に、識別情報を付加することを含む。上記モバイルデバイスは続いて、上記識別情報及び上記時間ベースのトークン情報を、第２のネットワークを介して、コントローラに戻るよう伝送する。ある実施形態に関して、上記第２のネットワークはセルラーネットワークを含む。ある実施形態に関して、上記第２のネットワークは、上記トランシーバ、及び／又は構造体１００の分散型ネットワークの他のトランシーバに関連付けられたＷｉＦｉ又はＩＥＥＥ  ８０２．１１ネットワークを含む。
【００２７】
第４のステップ３４０は、上記コントローラが、上記識別情報及び上記時間ベースのトークン情報に基づいて、位置ベースのインテリジェンスを実施することを含む。少なくともいくつかの実施形態に関して、上記コントローラは、建物（構造体）内のモバイルデバイスの移動を追跡する。更に、少なくともいくつかの実施形態に関して、上記コントローラは、リアルタイムで、上記モバイルデバイスの具体的な位置が、モバイルデバイス及びそのユーザに割り当てられたアクセスレベルに従って許容可能であるかどうかを検証する。上記位置が上記アクセスレベル外であると識別された場合、上記コントローラは、例えば警告としてライト（又は他の形態の通信）を点灯させるために、モバイルデバイスの付近の１つ又は複数のトランシーバにコマンドを送信する。また、上記コントローラは、違反情報及びユーザが行う一連の操作を含むメッセージを、上記モバイルデバイスに送信する。更に、コントローラは、違反に関して、設定済みのセキュリティ機関にもメッセージを送信する。
【００２８】
少なくともいくつかの実施形態に関して、位置ベースのインテリジェンスは、上記構造体内の占有者／アセットタグの位置を識別すること、及びその時点における上記位置に関して適切な特定のサービスを提供することを含む。特定のサービスとしては、リソースマップ、リソース識別、リソースステータス情報、リソースの制御、ユーザの付近の占有者及び／又はアセットとの通信、占有者及び／又はアセットの位置特異的追跡が挙げられるが、これらに限定されない。アセットの例としては、実験室装置、ヘルスケア装置、可動機械、小売用製品、特定のタイプのイベントチケットが挙げられるが、これらに限定されない。これらのアセットは、位置の識別及びアクセスの確認を可能とする通信タグを有する装置である。
【００２９】
図４は、ある実施形態による、構造体の分散型ネットワークを制御する方法のステップを含むフローチャートであり、上記方法は、上記構造体内のモバイルデバイスのユーザのアクセス及び活動を追跡することを含む。最初のステップは、図３のフローチャートのステップ３４０を含む。即ち上記コントローラは、第２のネットワークを介して、識別情報及び時間ベースのトークン情報を受信する。
【００３０】
第１のステップ４１０は、上記コントローラが、上記少なくとも１つの時間ベースのトークンの通信された時間に基づいて、上記モバイルデバイスの位置を識別することを含む。ある実施形態に関して、上記位置は、上記時間ベースのトークンを伝送したトランシーバの位置を把握することに基づいて推定される。即ち、上記時間ベースのトークンは低い伝送信号電力の第１のネットワークを介して伝送されるため、上記モバイルデバイスの位置は、トランシーバ及び上記時間ベースのトークンを伝送したトランシーバの位置を把握することにより、推定できる。時間要素により、いつ時間ベースのトークンが伝送されたかを容易に決定できる。
【００３１】
第２のステップ４２０は、上記モバイルデバイスが上記構造体のドアに近接していると決定され、かつ上記モバイルデバイスがある基準を満たす場合に、上記コントローラがドアを開放するためのコマンドを送信することを含む。ある実施形態は、上記コントローラにドア開放要求を通信することを含み、ここで上記ドア開放要求はドア‐トークンに基づくものであり、第２のネットワークを介してサーバへと通信される。ある実施形態に関して、上記第２のネットワークは、上記構造体の無線トランシーバ（例えば無線トランシーバ１０１〜１１０）のＷｉＦｉネットワークを含む。少なくともいくつかの実施形態は、上記構造体のドアを開放することによって上記モバイルデバイスのユーザが上記構造体に入ることができるようにするよう動作する、上記構造体の制御デバイスと通信するコントローラを含む。
【００３２】
第３のステップ４３０は、上記コントローラが、上記構造体を通る上記モバイルデバイスのユーザのアクセスを管理することを含む。即ち、上記モバイルデバイスのユーザの１つ又は複数の位置を、ユーザが上記構造体を通って移動する又は進むに従って、決定する。更に、上記コントローラは、ユーザがアクセスを有する場所、及びユーザがアクセスを有しない場所を含むデータソースにアクセスできる。
【００３３】
第４のステップ４４０は、上記コントローラが、上記構造体を通る上記モバイルデバイスのユーザのアクセス／活動を追跡することを含む。少なくともいくつかの実施形態に関して、この追跡は、上記構造体の至るところで、上記モバイルデバイスのユーザが取る経路及び上記モバイルデバイスのユーザが利用するリソースの記録を含む。
【００３４】
図５は、ある実施形態による、構造体の分散型ネットワークを制御する方法のステップを含むフローチャートであり、上記方法は、上記構造体内のアセットタグを追跡することを含む。最初のステップは図３のフローチャートのステップ３４０と同様であり、ここで（モバイルデバイスではなく）アセットタグが、上記時間ベースのトークン情報を受信し、受信した上記時間ベースのトークン情報に識別情報を付加し、続いて上記識別情報及び上記時間ベースのトークン情報を、第２のネットワークを介して、コントローラに戻るよう伝送する。
【００３５】
第１のステップ５１０は、上記コントローラが、少なくとも１つの時間ベースのトークンの通信された時間に基づいて、上記アセットタグの位置を識別することを含む。第２のステップ５２０は、上記コントローラが、アセットタグが識別された位置にあるものとして認証されたかどうかを決定して、いずれの所要の操作を実施することを含む。第３のステップ５３０は、上記コントローラが、上記構造体全体にわたってアセットタグを追跡し、いずれの所要の操作を実施することを含む。
【００３６】
少なくともいくつかの実施形態に関して、上記アセットが、上記識別された位置にあるものとして認証されない場合、上記コントローラは、違反に関して建物管理システムと通信し、これにより、上記建物管理システムは必要な操作を行うことができる。更に、少なくともいくつかの実施形態に関して、上記コントローラは、違反に関して、設定済みの施設及びアセット管理職員に、識別された位置を通信する。
【００３７】
少なくともいくつかの実施形態に関して、アセットの追跡としては、構造体内のアセットの過去の及び現在の位置、上記アセットの過去の及び現在の利用、並びに他の関連する構造体に特異的な情報（メタデータ）によってコンテキスト化されるこの情報が挙げられるが、これらに限定されない。メタデータの例としては、スペースの名前、アセットが使用される又は移動される条件、及び場合によっては上記アセットのユーザ／移動させる者（ｍｏｖｅｒ）を含むがこれらに限定されない。
【００３８】
図６は、ある実施形態による、構造体の分散型ネットワークを制御する方法のステップを含むフローチャートであり、上記方法は、モバイルデバイスによる上記構造体のリソースに対するアクセス及び制御を容易にする。最初のステップは、図３のフローチャートのステップ３４０を含む。第１のステップ６１０は、上記モバイルデバイスが、上記構造体の地図を読み込み、上記構造体の近接したリソースに関連する情報にアクセスし、上記近接したリソースの少なくともある程度の制御を提供することを含む。第２のステップ６２０は、モバイルデバイスによるリソースに対するアクセス及び制御を、上記モバイルデバイスと上記コントローラとの間で通信することを含む。第３のステップ６３０は、上記コントローラがリソースの制御を容易にすることを含む。
【００３９】
少なくともいくつかの実施形態に関して、リソースのタイプは幅広いものであり、例えば会議室、ホテリングスペース、プリンタ／コピー機、実験室装置、コーヒーマシン、カフェテリア、電話用の部屋等を含む。特定の設定済みのリソースのアクセス及び制御は、モバイルデバイス、サーバ、上記モバイルデバイスの付近のトランシーバの間の通信によって可能となる。特定のリソースが建物管理システムと通信するよう構成される場合、サーバは、上記リソースのアクセス及び制御を実行するのに必要な更なる通信を容易にする。場合によっては、特定のリソースの構成を仮定すると、モバイルデバイスは、Ｂｌｕｅｔｏｏｔｈ又はＷｉＦｉ等の低電力ネットワークを介して、リソースと通信してこれを制御できる。
【００４０】
図７は、ある実施形態による、構造体の分散型ネットワークを制御する方法のステップを含むフローチャートであり、上記方法は、モバイルデバイスによる上記構造体のリソースに対するアクセス及び制御を容易にする。最初のステップは、図３のフローチャートのステップ３４０を含む。第１のステップ７１０は、上記コントローラが、少なくとも１つの時間ベースのトークンの通信された（伝送）時間に基づいて、上記モバイルデバイスの位置を識別することを含む。第２のステップ７２０は、上記コントローラが、（上記モバイルデバイスを含む）複数のモバイルデバイスの位置を識別及び追跡することを含む。第３のステップ７３０は、上記モバイルデバイスが、上記構造体の地図及び上記複数のモバイルデバイスのうちの他のものの位置を読み込むことを含む。
【００４１】
緊急時において、上記複数のモバイルデバイスの１つ又はグループが危険に近づいていると識別された場合、上記コントローラは、これにより上記複数のモバイルデバイスを、危険から逃れるべきグループとして協調させるために、上記複数のモバイルデバイスのグループに対して一連の操作メッセージを通信する。上記コントローラはまた、上記複数のモバイルデバイスのユーザに関する位置及び他の関連情報を、施設及び緊急管理職員に送信する。
【００４２】
少なくともいくつかの実施形態に関して、複数のモバイルデバイスの情報により、スタジアム、小売業環境、企業のホテリングスペース等といった構造体における、リソースの、占有者平衡化操作が可能となる。更に、複数のモバイルデバイスの情報により、カフェテリア、小売業環境等といった構造体における、サービス改善操作が可能となる。少なくともいくつかの実施形態に関して、サービスレベル及び／又はユーザ体験を最大化する操作が、複数のモバイルデバイスの位置を使用するソフトウェアアプリケーションを介して提供される。
【００４３】
少なくともいくつかの実施形態に関して、モバイルデバイスのユーザの付近の複数の他のモバイルデバイスの情報を用いて、ロケーションアウェアな企業のソーシャルネットワークを確立する。このソーシャルネットワークにより、個々の占有者が、上記ネットワークの一部である他の占有者と瞬時に通信できるようになる。複数のモバイルデバイスのこの位置を使用するソフトウェアアプリケーションにより、より高い生産性を達成するのを助けるリアルタイム通信が可能となる。
【００４４】
企業の職場環境等の構造体では、複数のモバイルデバイスの位置により、位置特異的活動を行う特定のセットのモバイルデバイスのユーザに対する、リアルタイム通信が可能となり、これにより、ユーザの知識、企業の目標に対する関与、及び従って会社のビジョンに対するユーザの貢献を改善できる。スタジアム又は小売業環境といった構造体では、複数のモバイルデバイスの位置により、グループに対するサービスアテンダントの派遣といった、ユーザのグループのサイズに特異的なサービスを提供すること、及び近位の製品／リソース情報等の、ユーザのサブセットに対するユーザ特異的サービスを提供することが可能となる。
【００４５】
ある実施形態に関して、センサ１１１、１１２のうちの１つ又は複数は、マイクロフォン等の音響センサを含む。１つ又は複数のマイクロフォンは、近位の音を感知する。ある実施形態に関して、上記１つ又は複数のマイクロフォンは、感知した音をコントローラ１３０に提供する。ある実施形態に関して、上記コントローラは、上記感知した音を経時的に追跡する。更に、ある実施形態に関して、上記感知した音は経時的に記録され、これにより、音のベースラインレベル又は音の特性の決定が可能となり、これは、（上記１つ又は複数の音響センサに少なくとも近接した）構造体に関する通常の音特性として識別できる。
【００４６】
更に、ある実施形態に関して、経時的に記録された上記感知した音を、後で感知した音と比較する。この比較を用いて、異常を決定し、普通でないイベントの発生を示唆できる。例えば、占有者の落下、水漏れ、装置が正確に動作しない、予期しない場所における機械の存在、所期閾値より小さい又は大きい音（デシベル）レベルといった、普通でないイベントは、（上記１つ又は複数の音響センサに近接した）構造体内での「通常（ｎｏｒｍａｌ）」動作及び活動のベースラインとは異なる音を呈し得る。従って、ベースラインの音と上記普通でないイベントとの比較を用いて、普通でないイベントの発生を識別できる。
【００４７】
ある実施形態に関して、上記コントローラは、上記音響センサが感知した音を受信し、上記感知した音を複数の所定の音のうちの少なくとも１つと照合し、上記音の上記複数の所定の音のうちの少なくとも１つとの照合に基づいて所定の操作を実行するよう、動作する。
【００４８】
更に、ある実施形態に関して、普通でない又は異常なイベントが検出されると、ある操作が開始される。少なくともいくつかの実施形態に関して、上記操作は、ある操作を上記構造体内のデバイスに通信することを含む。例えば、普通でない又は異常なイベントの識別を用いて、上記構造体内の視覚センサを開始させることができる。更に、特定のユーザ又はユーザデバイスに警報を通信できる。
【００４９】
図８は、ある実施形態による、構造体の異常を検出し、検出された上記異常に応答する方法のステップを含む、フローチャートである。第１のステップ８１０は、音響センサが、上記構造体内の音を感知し、感知した音を上記コントローラに通信することを含む。第２のステップ８２０は、上記コントローラが、上記感知した音を経時的に処理して、上記感知した音が過去の通常の範囲内にあるか、又は上記感知した音が異常であるか、又は１つ若しくは複数の既知の所定の感知した信号と一致するかを決定することを含む。第３のステップ８３０は、上記コントローラが、異常を感知したこと、又は上記１つ若しくは複数の既知の所定の感知した信号との一致を決定したことに基づいて、所定の操作を実行することを含む。このような所定の操作としては例えば、トランシーバ及び／又はセンサのうちの１つ又は複数への通信を行って、上記構造体内で視覚信号送信を開始することを挙げることができる。更に又はあるいは、上記所定の操作としては、上記構造体に関連付けられた１つ又は複数のモバイルデバイスと通信することが挙げられる。
【００５０】
ある実施形態に関して、上記音響センサとしては、上記トランシーバのうちの少なくとも１つに配置されたマイクロフォンが挙げられ、これは音声信号を観察して上記コントローラに通信する。
【００５１】
ある実施形態に関して、上記コントローラは、各時点からの音声信号を過去の信号を用いて処理して、変化を決定し、上記変化が異常であるかどうか、及び／又は定義された故障信号と一致するかどうかを判断する。
【００５２】
ある実施形態に関して、過去のデータに基づいて、コントローラは、ベースライン「通常」信号を有する。コントローラは、特定の故障信号（例えば占有者の落下、水漏れ、装置が正確に動作しないこと、予期しない空間における機械の存在、所期閾値より小さい又は大きいデシベルレベル等）を提供される。これらの故障信号のそれぞれに関して、コントローラは、行うべき操作を備える。
【００５３】
ある実施形態に関して、上記コントローラは、特定の異常／故障の場合に、通信に対する所定の操作を行う。上記操作は、視覚信号送信のためのトランシーバへの通信を含んでよい。上記操作は、故障／異常の発生時に、特定のモバイルデバイスに通信することも含んでよい。
【００５４】
ある実施形態に関して、上記１つ又は複数の音響センサを利用して、音声コマンド性能を提供する。例えば音声コマンドの所定のセットを識別でき、そして識別された上記音声コマンドに基づいて対応する操作を実施できる。
【００５５】
図９は、構造体のリソースの音声制御の方法のステップを含む、フローチャートである。第１のステップ９１０は、音響センサが、ユーザからの音声コマンドを受信することを含む。第２のステップ９２０は、コントローラが、上記音声コマンドを識別することを含む。これは例えば、受信した上記音声コマンドを、複数の所定の音声コマンドのうちの少なくとも１つと照合することにより、行うことができる。第３のステップ９３０は、上記コントローラが、上記受信した音声コマンドに基づいて、ある操作を開始させることを含む。
【００５６】
ある実施形態に関して、上記コントローラが音声コマンドを受信することにより、上記コントローラはある操作を開始させる。例えば、１つ又は複数の音響センサによって受信され、上記コントローラに通信される音声コマンドとしては、光レベル制御（音声コマンドは、「オン（ｏｎ）」、「オフ（ｏｆｆ）」、「より明るく（ｂｒｉｇｈｔｅｒ）」、「より暗く（ｄｉｍｍｅｒ）」等を含み得る）、シーン制御、プラグ負荷、温度制御、陰影（増大させる、減少させる、中間）を挙げることができる。ある実施形態に関して、上記音声コマンドは、Ｂｌｕｅｔｏｏｔｈ等の低電力ネットワークを介して制御されたリソースが聞くことができ、上記リソースは上記コマンドに応答できる。この場合、上記コントローラは、受信したコマンドを記録し、リソースが追跡を目的とした操作を行う。
【００５７】
ある実施形態に関して、上記トランシーバのうちの少なくとも１つのマイクロフォンは、上記構造体内から発せられた音声信号を観察する。
【００５８】
ある実施形態に関して、各トランシーバは、所定のコマンドバース（ｖｅｒｓｅ）及び関連する操作の特定のリストを有する。上記操作としては、光レベルを制御すること、特定のシーンを選択すること、プラグ負荷／ＡＶ／陰影といった他のリソースを制御すること、特定のメッセージをコントローラに送信して、助けを呼ぶ、故障報告等といった操作をコントローラに実行させることが挙げられる。
【００５９】
少なくともいくつかの実施形態に関して、上記トランシーバは、受信したコマンドに対して適切な操作を開始させる。少なくともいくつかの実施形態に関して、聴取を行っている上記トランシーバのうちの特定のトランシーバが操作を行う。例えば、「ライトが作動していない（ｌｉｇｈｔ  ｉｓ  ｎｏｔ  ｗｏｒｋｉｎｇ）」というコマンドは、上記トランシーバに、計測データを確認させ、不完全な計測読み取り値を得たトランシーバは、当該トランシーバが関連するライトが作動していないことを、所定のモバイルデバイスに通信する。
【００６０】
少なくともいくつかの実施形態に関して、聴取を行っている全てのトランシーバが、ライトを暗くする、又は現場に行くといった操作を行う。
【００６１】
少なくともいくつかの実施形態に関して、聴取を行っている全てのトランシーバが、コントローラにメッセージを送信し、上記コントローラは上記メッセージを調停し、操作を行う。上記操作としては、特定の操作コマンドを、トランシーバ又はモバイルデバイス又は建物管理システム又は上記のうちの全てに通信することが挙げられる。
【００６２】
記載される実施形態は、インテリジェンスを含む発光ダイオード（ＬＥＤ）器具を用いて実装できる。照明器具は、当該照明器具のライトのインテリジェントな制御を考慮したものである。上記照明器具は、複数の照明器具の分散型制御を可能とするために、他の照明器具とネットワーク接続できる。更に、ライトの実施形態は、更なる又は代替的な光制御のためのネットワークインタフェースを含む。
【００６３】
図１０は、ある実施形態による、インテリジェンスを含み、記載される実施形態と共に動作できる、ＬＥＤ器具１０００の例を示す。図１０の実施形態に関して、ＬＥＤ器具１０００は、ＬＥＤドライバと、制御ユニット１０３０とを含み、制御ユニット１０３０はＬＥＤ１０１０に接続され、ＬＥＤ１０１０から放出された光の強度を制御するための制御信号（Ｉ）を供給する。更に、センサユニット１０４０は、ＬＥＤドライバ及び制御ユニット１０３０に接続される。
【００６４】
ある実施形態に関して、ＬＥＤドライバ及び制御ユニット１０３０は、センサユニット１０４０に電力を供給し、センサユニット１０４０は、ＬＥＤドライバ及び制御ユニット１０３０に制御信号を供給する。この実施形態は更に、センサユニット１０４０とネットワーク又は他のデバイスとの間で確立される通信リンクを含む。しかしながら、センサユニットを、ネットワークに接続するのではなく、他のセンサユニット並びにＬＥＤドライバ及び制御ユニットに接続することにより、複数の照明装置の非集中制御を可能とすることができる。特定の実施形態に関して、センサユニット１０４０は、少なくとも１つのアンテナ１０５０を含み、また上記ネットワーク又は他のデバイスに（例えばＢＬＵＥＴＯＯＨ（登録商標）又はＺＩＧＢＥＥ（登録商標）を介して）無線でリンクされる。
【００６５】
無線リンクは有利には、ＬＥＤドライバ及び制御ユニット１０３０内ではなく、センサユニット１０４０内に配置できる。というのは、いくつかの構成は、照明器具１０００として共通の金属のエンクロージャ内に配置されるＬＥＤドライバ及び制御ユニット１０３０を含むためである。上記無線リンクをＬＥＤドライバ及び制御ユニット１０３０内に配置することにより、上記無線リンクは、上記金属のエンクロージャによって引き起こされる減衰を受け得る。アンテナを、照明器具１０００の上記金属のエンクロージャに近接して、ただしその外側に配置することにより、上記無線リンクの品質を維持できる。
【００６６】
ある実施形態に関して、ＬＥＤドライバ及び制御ユニット１０３０からセンサユニット１０４０に電力を供給する導体と、センサユニット１０４０からＬＥＤドライバ及び制御ユニット１０３０に１つ又は複数の制御信号を供給する１つ又は複数の導体とが、共通のケーブルに配置される。ある実施形態に関して、センサユニット１０４０に電力供給するために供給される電圧は、例えば低電力ＤＣ電圧である。低電圧であることにより、センサユニット１０４０を、専門家でない人によって、ＬＥＤドライバ及び制御ユニット１０３０に接続及び再接続できる（即ち、このＬＥＤ照明システムを配備するために、熟練の高コストな技術者は不要である）。即ち、電圧供給は十分に低く、例えばセンサユニットの交換は十分に安全であるため、交換を行うのに電気技師は不要である。ある実施形態に関して、センサユニット１０４０は、ＬＥＤドライバ及び制御ユニット１０３０に近接した天井に取り付けられる。ケーブルは、レトロフィットＬＥＤドライバ及び制御ユニット１０３０並びにレトロフィットセンサ１０４０の容易な据え付けを可能とする。例示的なケーブルとしては、両端部にＲＪ−４５、ＲＪ−５０のようなコネクタを備えるフラットケーブルが挙げられる。フラットケーブルは、典型的な産業用天井のガイドレールと天井タイルとの間で容易に滑動できるため、望ましいものとなり得る。
【００６７】
実施形態は、感知した信号及びいずれのネットワーク入力に基づく全てのＬＥＤ処理が、完全に又は部分的にセンサユニット１０４０内で発生することを含む。他の実施形態は、可変量のドライバ制御処理が、ＬＥＤドライバ及び制御ユニット１０３０内で発生することを含む。図１０に示すように、調光制御の決定は、ＬＥＤドライバ及び制御ユニット１０３０とセンサユニット１０４０との間に分散できる。
【００６８】
手動スイッチ、調光制御又はタイミング調光制御ユニット１０６０は、手動調光制御を提供できる。調光制御は、調光制御ユニット１０６０が制御の移行を通信することにより、ＬＥＤドライバ及び制御ユニット１０３０並びにセンサユニット１０４０によって提供される自動制御から、調光制御ユニット１０６０によって提供される手動制御に移行できる。この制御の移行は例えば、調光制御ユニット１０６０が、調光制御ユニット１０６０によって供給される電力を、所定のシーケンスに従って循環させることによって通信できる。例えば、上記所定のシーケンスは、所定の期間内に３回、調光制御ユニット１０６０により手動で電力を循環させることを含むことができる。ＬＥＤドライバ及び制御ユニット１０３０並びにセンサユニット１０４０の組み合わせが、上記所定のシーケンス（３サイクル）に従った電力循環を受けると、次に手動オーバーライドが起動され、調光制御ユニット１０６０は、例えば別のシーケンスが調光制御をＬＥＤドライバ及び制御ユニット１０３０並びにセンサユニット１０４０の組み合わせに戻すように移行するまで、手動制御を提供する。手動モードになると、感知した信号はもはや、調光制御に影響を及ぼさない。
【００６９】
図１０に示すように、既存の電気配線及びスイッチを変更又はアップデートすることなく、既存の照明器具を改良できる。この改良は、実装が容易、迅速かつ安価であるため、これは非常に望ましい。改良を行うと、多数の照明器具を非集中制御により管理できる。単一点障害が存在しないため、非集中制御は集中制御より望ましい。改造キットの購入者は、既存の照明器具を経時的に改良できる。
【００７０】
センサ及び制御ユニット１０４０は、ＬＥＤ１０１０から放出された光の強度を制御するために使用される条件を感知するセンサを含む。このような感知される信号は、運動、光、温度、画像等のうちの少なくとも１つを含む。これは、可能性のある感知された条件の包括的なリストではないことを理解されたい。
【００７１】
図１１は、別の実施形態による、インテリジェンスを含むＬＥＤ器具の別の例を示す。図示したように、ＬＥＤ１１１０、１１１２は、ＬＥＤドライバ及び制御ユニット１１３０に接続される。更にセンサユニット１１４０は、ＬＥＤドライバ及び制御ユニット１１３０に接続される。
【００７２】
図１１は、ある実施形態の更なる詳細を提供する。より具体的には、ＬＥＤドライバ及び制御ユニット１１３０は、力率補正回路１１９１、ＡＣ‐ＤＣ変圧器１１９２、センサ電力回路（センサユニットのための電源）１１９５、制御論理及び電力計測回路構成１１９３を含む。
【００７３】
力率補正回路１１９１は、ＡＣ電圧電力を受け取り、受け取ったＡＣ電圧の位相を調整する。力率補正回路１１９１は、力率補正を提供する。
【００７４】
ＡＣ‐ＤＣ変圧器１１９２は、受け取ったＡＣ電圧を、ＬＥＤドライバ及び制御ユニット１１３０並びにセンサユニット１１４０の他の部分によって使用可能なＤＣ電圧に変換する。センサ電力回路１１９５は、低電力電圧をセンサユニット１１４０に供給する。
【００７５】
制御論理及び電力計測回路構成１１９３は特に、感知した信号をセンサユニット１１４０から受け取る。ある実施形態に関して、制御論理及び電力計測回路構成１１９３は、ＬＥＤドライバ制御信号を生成し、これは、このＬＥＤドライバ制御信号に基づいてＬＥＤ１１０、１１２の光の強度を制御するためのものである。
【００７６】
図示したように、ＬＥＤストリングドライバ１１９４、１１９６は、ＬＥＤドライバ制御信号を受け取り、ＬＥＤ１１１０、１１１２から放出される光の強度を制御するための電流駆動信号（Ｉ、Ｉ’）を生成する。
【００７７】
ある実施形態に関して、ＬＥＤドライバ及び制御ユニット１１３０はまた、ＬＥＤドライバ及び制御ユニット１１３０、センサユニット１１４０、ＬＥＤ１１１０、１１１２によって消費される電力を監視する。
【００７８】
図１２は、本発明のある実施形態による、照明制御サブシステム１２００を示す。例示的な照明制御サブシステム１２００は、センサユニット１２０２を含み、これはライトユニット１２３０とインタフェース接続された調光コントローラ１２０４とインタフェース接続される。調光コントローラ１２０４はコントローラ（マネージャＣＰＵ）１２２０を含み、これはライトユニット１２３０に、及びセンサユニット１２０２のセンサユニットＣＰＵ１２４５に連結される。図示したように、センサユニットＣＰＵ１２４５は、トランシーバ１２５０に連結される。ある実施形態に関して、通信インタフェースは、上述のトランシーバ（トランシーバ１０２等）のうちの少なくとも１つを含む。ある実施形態に関して、トランシーバ１２５０は、センサユニットＣＰＵ１２４５を、上述のコントローラ１３０等の外部デバイスに連結する。
【００７９】
センサユニット１２０２は更に、センサ１２４０（これはセンサ１１１、１１２等の上述のセンサのうちの少なくとも１つを含む）を含む。示されているように、センサ１２４０は、光センサ１２４１、運動センサ１２４２、温度センサ１２４３、カメラ１２４４、空気品質センサ１２４８、近距離無線通信センサ１２４６及び／又はＲＦＩＤ（無線周波数識別）センサ１２４７のうちの１つ又は複数を含むことができる。これはセンサの包括的なリストではないことを理解されたい。即ち、照明制御サブシステム１２００を利用する構造体の照明及び／又は環境制御のために、更なる又は代替的なセンサを利用できる。センサ１２４０はセンサユニットＣＰＵ１２４５に連結され、センサ１２４０は感知した入力を生成する。
【００８０】
少なくともいくつかの実施形態によると、上記コントローラ（マネージャＣＰＵ１２２０及びセンサユニットＣＰＵ１２４５）は、上記感知した入力に少なくとも部分的に基づいてライトユニット１２３０の光出力を制御し、状態又は感知した情報のうちの少なくとも１つを外部デバイスに通信するよう動作する。更に、上記コントローラ（マネージャＣＰＵ１２２０及びセンサユニットＣＰＵ１２４５）は、外部コントローラ１３０から受けた制御に少なくとも部分的に基づいて、ライトユニット１２３０の光出力を制御するよう動作する。
【００８１】
少なくともいくつかの実施形態に関して、調光コントローラ１２０４は、ＤＣ電圧を受け取り、ライトユニット１２３０のための電力制御を生成し、センサユニット１２０２のための低電圧供給を生成する。示唆されるように、調光コントローラ１２０４及びセンサユニット１２０２は、上記感知した入力に少なくとも部分的に基づいてライトユニット１２３０の光出力を制御し、状態又は感知した情報のうちの少なくとも１つを外部デバイスに通信するよう、相互作用する。調光コントローラ１２０４及びセンサユニット１２０２はまた、（外部コントローラ１３０等の）外部デバイスから、ライトユニット１２３０の光出力の制御に影響を及ぼすことができる、状態又は制御情報を受信する。調光コントローラ１２０４のマネージャＣＰＵ１２２０及びセンサユニット１２０２のセンサユニットＣＰＵ１２４５は、別個のコントローラとして図示されているが、少なくともいくつかの実施形態に関して、２つの別個のコントローラ（ＣＰＵ）１２２０、１２４５は、単一のコントローラ又はＣＰＵとして実装できることを理解されたい。
【００８２】
少なくともいくつかの実施形態に関して、トランシーバ１２５０は、外部デバイス（例えば外部コントローラ及び／又は他の照明器具）に対する無線リンクを提供する。
【００８３】
図１３は、照明器具の動作方法の例のステップを含むフローチャートである。第１のステップ１３１０は、コントローラを、上記照明器具に関連する発光ダイオード（ＬＥＤ）とインタフェース接続することを含む。第２のステップ１３２０は、上記コントローラを少なくとも１つのセンサに接続することを含み、ここで上記コントローラを少なくとも１つのセンサに接続することは、少なくとも１つの外部センサと上記コントローラとの間に外部導電ラインを取り付けることを含み、ここで上記外部導電ラインは上記コントローラから上記少なくとも１つの外部センサに電力を供給する。第３のステップ１３３０は、上記コントローラを電源に接続することを含む。
【００８４】
少なくとも１つの実施形態は更に、上記少なくとも１つの外部センサを上記照明器具付近に装着することを含む。少なくとも１つの実施形態に関して、上記外部導電ラインは、上記少なくとも１つの外部センサからレトロフィットコントローラに、センサ及び制御情報のうちの少なくとも１つを提供する。
【００８５】
少なくとも１つの実施形態に関して、上記少なくとも１つの外部センサは第２のコントローラを含み、上記少なくとも１つの外部センサはネットワークに無線接続される。少なくとも１つの実施形態に関して、上記少なくとも１つの外部センサは、上記ネットワークから受信した、感知した情報及び制御情報のうちの少なくとも１つに基づいて、上記コントローラに調光制御情報を提供する。
【００８６】
少なくとも１つの実施形態に関して、上記コントローラは、上記少なくとも１つのセンサから感知した情報を受信し、上記感知した情報に基づいてＬＥＤの調光を適応制御する。
【００８７】
具体的な実施形態を説明及び例示したが、説明した実施形態は、そのように説明及び例示された部品の特定の形態又は構成に限定されない。実施形態は、添付の請求項によってのみ限定される。
【図１】
0006771477.tif 000002
【図２】
0006771477.tif 000003
【図３】
0006771477.tif 000004
【図４】
0006771477.tif 000005
【図５】
0006771477.tif 000006
【図６】
0006771477.tif 000007
【図７】
0006771477.tif 000008
【図８】
0006771477.tif 000009
【図９】
0006771477.tif 000010
【図１０】
0006771477.tif 000011
【図１１】
0006771477.tif 000012
【図１２】
0006771477.tif 000013
【図１３】
0006771477.tif 000014